(57)【要約】【課題】ホルダに蓄電素子が重ねられる蓄電装置において、蓄電素子の厳密な位置決めを実現する。【解決手段】蓄電素子（１４）とホルダ（１６）を備えた蓄電装置（１０）であって、前記ホルダ（１６）は、一方の側から前記蓄電素子（１４）の移動を規制する第１規制部（４２）と、他方の側から前記蓄電素子（１４）の移動を規制する第２規制部（４４）と、前記第１規制部（４２）から突出して前記蓄電素子（１４）に当接する第１ガイド部（６１）と、前記第２規制部（４４）から突出して前記蓄電素子（１４）に当接する第２ガイド部（６２）と、を備える、蓄電装置を提供する。【選択図】図５
2015201288.tif 000002
【特許請求の範囲】
【請求項１】
蓄電素子とホルダを備えた蓄電装置であって、
前記ホルダは、
一方の側から前記蓄電素子の移動を規制する第１規制部と、
他方の側から前記蓄電素子の移動を規制する第２規制部と、
前記第１規制部から突出して前記蓄電素子に当接する第１ガイド部と、
前記第２規制部から突出して前記蓄電素子に当接する第２ガイド部と、を備えることを特徴とする蓄電装置。
【請求項２】
前記第１ガイド部は、前記第２ガイド部よりも変形しやすいことを特徴とする請求項１に記載の蓄電装置。
【請求項３】
前記蓄電素子は、端子が突出する端子面を備え、
前記端子面は前記第１規制部に対向配置されることを特徴とする請求項２に記載の蓄電装置。
【請求項４】
前記第１規制部を挟んで前記蓄電素子とは反対側に温度調整部材が配置されていることを特徴とする請求項２に記載の蓄電装置。
【請求項５】
前記第２ガイド部を挟んで前記蓄電素子とは反対側に電気機器が配置されていることを特徴とする請求項２に記載の蓄電装置。
【請求項６】
前記第１ガイド部と前記第２ガイド部とは、略同じ変形量で変形した状態で前記蓄電素子に当接していることを特徴とする請求項１に記載の蓄電装置。
【請求項７】
前記ホルダは、全ての前記第１規制部が同一面に配置され且つ全ての前記第２規制部が同一面に配置されるように、前記蓄電素子を介して複数重ねられていることを特徴とする請求項１から請求項６のいずれか１項に記載の蓄電装置。
【請求項８】
一方の側から蓄電素子の移動を規制する第１規制部と、
他方の側から前記蓄電素子の移動を規制する第２規制部と、
前記第１規制部から突出して前記蓄電素子に当接する第１ガイド部と、
前記第２規制部から突出して前記蓄電素子に当接する第２ガイド部と、を備えることを特徴とするホルダ。
【請求項９】
第１規制部及び第２規制部を有するホルダと、所定の積層方向の一方から前記ホルダに重ねられる蓄電素子とを備える蓄電装置の組立方法であって、
前記第１規制部から突出した第１ガイド部と、前記第２規制部から突出した第２ガイド部とに前記蓄電素子を当接させた状態で、前記積層方向の他方に向かって前記蓄電素子を押し込むことによって、前記第１ガイド部又は前記第２ガイド部の少なくとも一方を変形させながら前記第１規制部と前記第２規制部との間に前記蓄電素子を差し込む、ことを特徴とする蓄電装置の組立方法。
【請求項１０】
前記蓄電装置とは別体で構成された所定の基準面に、前記蓄電素子の端子面から突出する端子の先端が当接した状態を維持しながら、前記端子面が前記第１ガイド部に当接するように前記蓄電素子に重ねられた前記ホルダを介して、複数の前記蓄電素子を積層することを特徴とする請求項９に記載の蓄電装置の組立方法。
【発明の詳細な説明】
【技術分野】
【０００１】
本発明は、蓄電素子とホルダを備えた蓄電装置に関する。
【背景技術】
【０００２】
スペーサのようなホルダに蓄電素子（電池セル）が重ねられる蓄電装置が知られている。この蓄電装置の一例として、スペーサを介して複数の蓄電素子が積層された組電池（電池モジュール）が挙げられる。
【０００３】
この種の蓄電装置において、一般的に、ホルダは、蓄電素子に重ねられるメインプレート部と、該メインプレート部の周縁部に形成された複数のフランジ部とで構成される。各フランジ部は、蓄電素子の外周面に対向するように配置され、該蓄電素子を位置決めする。
【０００４】
特許文献１には、スペーサの下面フランジ部に複数の三角リブが突設された組電池が開示されている。特許文献１の技術によれば、蓄電素子の下面が三角リブの斜面によって上方へ案内されることで、全ての蓄電素子の上面がスペーサの上面フランジ部に確実に押し当てられる。これにより、蓄電素子のがたつきを抑制できるとともに、蓄電素子の上面高さを揃えられる。
【先行技術文献】
【特許文献】
【０００５】
【特許文献１】特開２０１０−１７６９９７号公報
【発明の概要】
【発明が解決しようとする課題】
【０００６】
しかしながら、蓄電素子の上面から該面に設けられた端子上端までの高さには、製品公差によるばらつきが存在する。そのため、特許文献１の技術を採用したところで、蓄電素子の端子の高さを厳密に揃えることはできない。端子の高さにばらつきが生じると、例えば、複数の端子をバスバーによって接続するとき、バスバーが傾くことにより接続不良が生じることがある。
【０００７】
そこで、本発明は、ホルダに蓄電素子が重ねられる蓄電装置において、蓄電素子の厳密な位置決めを可能にすることを課題とする。
【課題を解決するための手段】
【０００８】
本発明に係る蓄電装置は、蓄電素子とホルダを備え、
前記ホルダは、
一方の側から前記蓄電素子の移動を規制する第１規制部と、
他方の側から前記蓄電素子の移動を規制する第２規制部と、
前記第１規制部から突出して前記蓄電素子に当接する第１ガイド部と、
前記第２規制部から突出して前記蓄電素子に当接する第２ガイド部と、を備えることを特徴とする。
【０００９】
本発明に係る蓄電装置によれば、蓄電素子とホルダを重ね合わせて蓄電装置を組み上げる際、ホルダの第１ガイド部又は第２ガイド部の少なくとも一方を変形させながら、ホルダの第１規制部と第２規制部との間に蓄電素子を差し込むことができる。そのため、蓄電素子に対するホルダの相対移動を規制しながら第１ガイド部と第２ガイド部との間に蓄電素子を差し込むことで、第１ガイド部又は第２ガイド部の少なくとも一方が適量に変形した状態で、ホルダに蓄電素子が保持される。これにより、ホルダに対して蓄電素子を厳密に位置決めすることができる。
【００１０】
上記の発明に係る蓄電装置において、前記第１ガイド部は、前記第２ガイド部よりも変形しやすくてもよい。この場合、第１ガイド部の変形量が第２ガイド部の変形量よりも大きくなることで、蓄電素子を第１規制部側に寄せた状態で位置決めできる。
【００１１】
上記の発明に係る蓄電装置において、前記第１ガイド部は、前記第２ガイド部よりも変形しやすく、且つ、前記蓄電素子は、端子が突出する端子面を備える場合、前記端子面は前記第１規制部に対向配置されてもよい。この場合、第１ガイド部の変形量を適宜調整することで、ホルダの第１規制部から蓄電素子の端子が適量突出するように蓄電素子を精度よく位置決めできる。また、複数の蓄電素子が積層される場合には、複数の端子の突出量を揃えやすくなり、これにより、例えばバスバーによる端子間の接続を良好に行うことができる。
【００１２】
上記の発明に係る蓄電装置において、前記第１ガイド部は、前記第２ガイド部よりも変形しやすい場合、前記第１規制部を挟んで前記蓄電素子とは反対側に温度調整部材が配置されてもよい。この場合、蓄電素子は、第１規制部側に寄せて位置決めされることによって、温度調整部材との距離が大きくなることが抑制されるため、温度調整部材によって蓄電素子を効果的に冷却又は加熱することができる。
【００１３】
上記の発明に係る蓄電装置において、前記第１ガイド部は、前記第２ガイド部よりも変形しやすい場合、前記第２ガイド部を挟んで前記蓄電素子とは反対側に電気機器が配置されてもよい。これにより、第１規制部側に寄せられた蓄電素子を回路基板又はセンサのような電気機器から遠ざけることができるため、蓄電素子と電気機器との間での熱伝導を抑制することができる。
【００１４】
上記の発明に係る蓄電装置において、前記第１ガイド部と前記第２ガイド部とは、略同じ変形量で変形した状態で前記蓄電素子に当接してもよい。この場合、第１規制部と第２規制部との間の略中央に蓄電素子を位置決めできる。また、第１規制部と蓄電素子との間、及び、第２規制部と蓄電素子との間に略同じ隙間幅を有する空間が形成されるため、ホルダと蓄電素子との間に冷媒を流すとき、蓄電素子を効果的に冷却しやすくなる。
【００１５】
上記の発明に係る蓄電装置において、前記第１ガイド部及び前記第２ガイド部の少なくとも一方は、間隔を空けて配置された複数のリブを備えてもよい。これにより、第１ガイド部及び第２ガイド部の少なくとも一方において、複数のリブを蓄電素子に当接させることで、蓄電素子の位置決めを効果的に実現できる。
【００１６】
上記の発明に係る蓄電装置において、前記第１ガイド部及び前記第２ガイド部の少なくとも一方は、所定の方向に延びる長尺部を備えてもよい。この場合、第１ガイド部及び第２ガイド部の少なくとも一方において、長尺部を蓄電素子に当接させることで、蓄電素子の位置決めを効果的に実現できる。
【００１７】
上記の発明に係る蓄電装置において、前記ホルダは、全ての前記第１規制部が同一面に配置され且つ全ての前記第２規制部が同一面に配置されるように、前記蓄電素子を介して複数重ねられてもよい。この場合、同じ向きとなるように位置合わせされた複数のホルダによって、全て同じ方向に蓄電素子を位置決めできる。
【００１８】
上記の発明に係る蓄電装置において、前記ホルダは、前記第１規制部と前記第２規制部とを連結する連結部を備え、前記連結部は、所定の積層方向の一方から前記蓄電素子に重ねられるように配置され、前記第２ガイド部における前記第１規制部側への張り出し量は前記積層方向の前記一方に向かうに従って増大してもよい。この場合、ホルダの第１ガイド部と第２ガイド部との間に蓄電素子を差し込むとき、第２ガイド部によって蓄電素子を第１規制部側へスムーズに案内することができる。
【００１９】
本発明に係るホルダは、
一方の側から蓄電素子の移動を規制する第１規制部と、
他方の側から前記蓄電素子の移動を規制する第２規制部と、
前記第１規制部から突出して前記蓄電素子に当接する第１ガイド部と、
前記第２規制部から突出して前記蓄電素子に当接する第２ガイド部と、を備えることを特徴とする。
【００２０】
本発明に係るホルダによれば、蓄電素子とホルダを重ね合わせる際、ホルダの第１ガイド部又は第２ガイド部の少なくとも一方を変形させながら、ホルダの第１規制部と第２規制部との間に蓄電素子を差し込むことができる。そのため、蓄電素子に対するホルダの相対移動を規制しながら第１ガイド部と第２ガイド部との間に蓄電素子を差し込むことで、第１ガイド部又は第２ガイド部の少なくとも一方が適量に変形した状態で、ホルダに蓄電素子が保持される。これにより、ホルダに対して蓄電素子を厳密に位置決めすることができる。
【００２１】
本発明に係る蓄電装置の組立方法は、
第１規制部及び第２規制部を有するホルダと、所定の積層方向の一方から前記ホルダに重ねられる蓄電素子とを備える蓄電装置の組立方法であって、
前記第１規制部から突出した第１ガイド部と、前記第２規制部から突出した第２ガイド部とに前記蓄電素子を当接させた状態で、前記積層方向の他方に向かって前記蓄電素子を押し込むことによって、前記第１ガイド部又は前記第２ガイド部の少なくとも一方を変形させながら前記第１規制部と前記第２規制部との間に前記蓄電素子を差し込む、ことを特徴とする。
【００２２】
本発明に係る蓄電装置の組立方法によれば、蓄電素子とホルダを重ね合わせて蓄電装置を組み上げる際、ホルダの第１ガイド部又は第２ガイド部の少なくとも一方を変形させながら、ホルダの第１規制部と第２規制部との間に蓄電素子を差し込むことができる。そのため、蓄電素子に対するホルダの相対移動を規制しながら第１ガイド部と第２ガイド部との間に蓄電素子を差し込むことで、第１ガイド部又は第２ガイド部の少なくとも一方が適量に変形した状態で、ホルダに蓄電素子が保持される。これにより、ホルダに対して蓄電素子を厳密に位置決めすることができる。
【００２３】
上記の発明に係る蓄電装置の組立方法において、前記蓄電装置とは別体で構成された所定の基準面に、前記蓄電素子の端子面から突出する端子の先端が当接した状態を維持しながら、前記端子面が前記第１ガイド部に当接するように前記蓄電素子に重ねられた前記ホルダを介して、複数の前記蓄電素子を積層してもよい。この場合、所定の基準面によって、複数の蓄電素子の端子の位置を揃えることができる。そのため、例えばバスバーによる端子間の接続を良好に行うことができる。
【発明の効果】
【００２４】
本発明によれば、ホルダに対して、蓄電素子を厳密に位置決めした状態で重ねることができる。
【図面の簡単な説明】
【００２５】
【図１】本発明の第１実施形態に係る蓄電装置を部分的に分解して示す分解斜視図である。
【図２】図１に示す蓄電装置のスペーサを示す斜視図である。
【図３】図２に示すスペーサを別の方向から見た斜視図である。
【図４】図２に示すスペーサを更に別の方向から見た斜視図である。
【図５】蓄電装置の組付け状態における蓄電素子及びスペーサを示す図１のＡ−Ａ線断面図である。
【図６】蓄電装置の組立方法の一例を模式的に示す断面図である。
【図７】図２に示すスペーサの第１ガイド部の第１変形例を示す側面図である。
【図８】図２に示すスペーサの第１ガイド部の第２変形例を示す側面図である。
【図９】図２に示すスペーサの第１ガイド部の第３変形例を示す側面図である。
【図１０】図２に示すスペーサの第１ガイド部の第４変形例を示す側面図である。
【図１１】図２に示すスペーサの第２ガイド部の変形例を示す側面図である。
【図１２】本発明の第２実施形態に係る蓄電装置の組付け状態における蓄電素子及びスペーサを示す図５と同様の断面図である。
【図１３】図１２に示す蓄電装置におけるヒートシンクの配置を示す断面図である。
【図１４】本発明の第３実施形態に係る蓄電装置のスペーサを示す斜視図である。
【図１５】本発明の第４実施形態に係る蓄電装置の組付け状態における蓄電素子及びスペーサを示す図５と同様の断面図である。
【図１６】本発明の第５実施形態に係る蓄電装置のスペーサを示す斜視図である。
【図１７】図１６に示すスペーサの正面図である。
【発明を実施するための形態】
【００２６】
以下、添付図面を参照して本発明の実施形態を説明する。なお、発明の理解を容易にするために、添付図面において、本発明に関係ない一部の部材については図示を省略している。
【００２７】
［第１実施形態］
図１に示すように、本発明の第１実施形態に係る蓄電装置は、複数（例えば８個）の蓄電素子（単電池）１４をモジュール化した組電池１０である。組電池１０の用途は限定されるものでないが、例えば、ガソリン自動車又はディーゼル自動車等に搭載される比較的低電圧（例えば１２Ｖ）の補機バッテリとして、組電池１０を使用することができる。この場合、組電池１０は、外装ケース（図示せず）に収容された状態で自動車等に搭載される。
【００２８】
図１を参照しながら、組電池１０の構成について説明する。なお、図１を参照する下記の説明において、「上」、「下」及び「横」を含む用語、並びに「側面」という用語は、図１に示す組電池１０の姿勢における方向を示すものであり、必ずしも実際の使用状態における方向と一致するものでない。
【００２９】
図１に示すように、組電池１０を構成する各蓄電素子１４は、扁平な角形のケーシング３０と、該ケーシング３０の上面開口部を塞ぐ蓋体３２とを備える。ケーシング３０は例えば金属製である。ケーシング３０の材料の具体例としては、例えば、アルミニウム合金、ステンレス鋼が挙げられる。ケーシング３０の表面は、例えば樹脂製の外装フィルム（図示せず）で全体的に覆われるようにしてもよい。
【００３０】
蓋体３２は細長い矩形の金属板である。蓋体３２には安全弁２４が設けられている。蓋体３２の長手方向両端部には正極端子２２ａと負極端子２２ｂが設けられている。端子２２（２２ａ，２２ｂ）は、平らな上面を有する所謂溶接端子である。複数の端子２２間を接続するバスバー（図示せず）は、例えば溶接によって各端子２２の上面に接合される。バスバーによって接続される複数の端子２２は、上面の高さが揃えられるように配置されることが好ましい。これにより、バスバーは、各端子２２の上面に傾くことなく接触し、良好に溶接され得る。
【００３１】
ただし、端子２２はボルト状の所謂ねじ端子であってもよく、この場合、ナットの締結によってボルト状の端子２２にバスバーが接合される。
【００３２】
蓄電素子１４は、例えばリチウムイオン電池のような二次電池であり、ケーシング３０及び蓋体３２の中には電極体と電解液が収容されている。ただし、蓄電素子１４は、リチウムイオン電池以外の二次電池であってもよい。
【００３３】
複数の蓄電素子１４は、ホルダとしてのスペーサ１６を介して蓄電素子１４の厚さ方向（図中Ｄ１方向）に積層されている。スペーサ１６の材料としては、絶縁性材料が用いられ、具体的には、例えば樹脂が用いられる。隣接する蓄電素子１４間にスペーサ１６が介装されることによって蓄電素子１４のケーシング３０間が電気的に絶縁されている。このように積層された状態において、蓄電素子１４の端子２２（２２ａ，２２ｂ）は、２列に分かれて積層方向（図中Ｄ１方向）に並べて配置される。端子２２の各列では、２つの正極端子２２ａと２つの負極端子２２ｂが交互に並べられ、複数のバスバー（図示せず）を介して端子２２同士が電気的に接続される。
【００３４】
積層方向（図中Ｄ１方向）の両側において、最も外側に積層された蓄電素子１４の更に外側には、それぞれエンドプレート１８ａ，１８ｂが重ねて設けられている。エンドプレート１８ａ，１８ｂは例えば樹脂からなる。エンドプレート１８ａ，１８ｂの外側の面には金属板７０が重ねられており、これにより、エンドプレート１８ａ，１８ｂの剛性が高められている。
【００３５】
このように積層された蓄電素子１４、スペーサ１６、エンドプレート１８ａ，１８ｂ、及び金属板７０からなる積層体１２は、複数（例えば４本）の金属製の拘束バンド５０（５０ａ，５０ｂ，５０ｃ，５０ｄ）によって積層方向の両側から挟持されるようにして固定される。なお、金属板７０の外側に重ねられる拘束バンド５０の端部は、金属板７０と共に例えばボルト（図示せず）によってエンドプレート１８ａ，１８ｂに固定される。
【００３６】
以下、主として図２〜図５を参照しながら、スペーサ１６の具体的な構成について説明する。なお、以下において、「上」、「下」、「右」、「左」及び「横」を含む用語、並びに「側面」という用語は、図２に示すスペーサ１６の姿勢（図１と同様の姿勢）における方向を示すものである。
【００３７】
図２〜図４に示すように、スペーサ１６は、隣接する蓄電素子１４間に挟まれるメインプレート部４０と、該メインプレート部４０の周縁部に設けられた複数のフランジ部４２，４４，４６ａ，４６ｂ，４８ａ，４８ｂとを備える。ただし、複数のフランジ部を一体化することで、メインプレート部４０の周方向に連続する１つのフランジを形成してもよい。
【００３８】
メインプレート部４０の形状は略矩形である。図２及び図３に現れるメインプレート部４０の一方の面には、複数の補強リブ５４が設けられている。これらの補強リブ５４は、互いに上下方向に間隔を空けて、それぞれ横方向に延びるように設けられている。補強リブ５４が設けられていることによって、メインプレート部４０の剛性が高められる。また、メインプレート部４０と蓄電素子１４との間に空隙が形成されるため、メインプレート部４０を挟んで隣接する蓄電素子１４間の断熱効果が得られるとともに、この空隙に冷媒を流すことによって、蓄電素子１４を冷却することもできる。
【００３９】
スペーサ１６のフランジ部としては、第１フランジ部としての上面フランジ部４２、第２フランジ部としての下面フランジ部４４、一対の上部側面フランジ部４６ａ，４６ｂ、及び、一対の下部側面フランジ部４８ａ，４８ｂが設けられている。いずれのフランジ部４２，４４，４６ａ，４６ｂ，４８ａ，４８ｂも、積層方向（図中Ｄ１方向）に平行な面に沿って設けられている。
【００４０】
上面フランジ部４２は、メインプレート部４０の上縁部から積層方向（図中Ｄ１方向）両側に突出するように設けられている。上面フランジ部４２は、積層方向（図中Ｄ１方向）に直角な横方向（図中Ｄ２方向）に延びるように形成されており、上面フランジ部４２の長さ方向中間部には、積層方向（図中Ｄ１方向）の幅が拡大された幅広部４２ａが形成されている。幅広部４２ａには、蓄電素子１４の安全弁２４を露出させるための一対の切欠部４３が設けられている。
【００４１】
下面フランジ部４４は、メインプレート部４０の下縁部から積層方向（図中Ｄ１方向）両側に突出するように設けられている。下面フランジ部４４は、上面フランジ部４２に対向配置されている。つまり、上面フランジ部４２と下面フランジ部４４とは、積層方向（図中Ｄ１方向）と横方向（図中Ｄ２方向）とに直角な上下方向（図中Ｄ３方向）の両側から蓄電素子１４を挟み込むように配置されている。
【００４２】
下面フランジ部４４の下面には、横方向（図中Ｄ２方向）両端部において、それぞれ左右一対の突出部４５ａ，４５ｂが設けられている。一対の突出部４５ａ，４５ｂの間には、拘束バンド５０ｃ，５０ｄが嵌まり込む凹溝５１ｃ，５１ｄが形成されている。下面フランジ部４４の下面には、横方向（図中Ｄ２方向）の中央部にも突出部４５ｃが設けられている。積層方向（図中Ｄ１方向）に関して、突出部４５ｃの一方の端面には係合用凸部５６が設けられ、他方の端面には係合用凹部５７（図４参照）が設けられている。組電池１０が組み立てられた状態において、積層方向（図中Ｄ１方向）に隣接する一方のスペーサ１６の係合用凸部５６と他方のスペーサ１６の係合用凹部５７とが係合するようになっている。
【００４３】
上部側面フランジ部４６ａ，４６ｂは、メインプレート部４０の左右の側縁部における上下方向中央部よりも上側の部分に設けられている。一方の上部側面フランジ部４６ａは、メインプレート部４０における横方向（図中Ｄ２方向）の一方の側縁部（右側縁部）から積層方向（図中Ｄ１方向）両側に突出するように設けられ、他方の上部側面フランジ部４６ｂは、メインプレート部４０の他方の側縁部（左側縁部）から積層方向（図中Ｄ１方向）両側に突出するように設けられている。これらの上部側面フランジ部４６ａ，４６ｂは、横方向（図中Ｄ２方向）の両側から蓄電素子１４を挟み込むように配置されている。
【００４４】
各上部側面フランジ部４６ａ，４６ｂの外側の面には、上下一対の突出部４７ａ，４７ｂが設けられている。一対の突出部４７ａ，４７ｂの間には、拘束バンド５０ａ，５０ｂが嵌まり込む凹溝５１ａ，５１ｂが形成されている。各上部側面フランジ部４６ａ，４６ｂの上縁部には、上面フランジ部４２に連なる屋根部５２が設けられている。
【００４５】
下部側面フランジ部４８ａ，４８ｂは、メインプレート部４０の左右の側縁部における上下方向中央部よりも下側の部分に設けられている。一方の下部側面フランジ部４８ａは、メインプレート部４０における横方向（図中Ｄ２方向）の一方の側縁部（右側縁部）から積層方向（図中Ｄ１方向）両側に突出するように設けられ、他方の下部側面フランジ部４８ｂは、メインプレート部４０の他方の側縁部（左側縁部）から積層方向（図中Ｄ１方向）両側に突出するように設けられている。これらの下部側面フランジ部４８ａ，４８ｂは、横方向（図中Ｄ２方向）の両側から蓄電素子１４を挟み込むように配置されている。
【００４６】
各下部側面フランジ部４８ａ，４８ｂの外側の面には突出部４９が設けられている。積層方向（図中Ｄ１方向）に関して、突出部４９の一方の端面には係合用凸部５８が設けられ、他方の端面には係合用凹部５９（図４参照）が設けられている。組電池１０が組み立てられた状態において、積層方向（図中Ｄ１方向）に隣接する一方のスペーサ１６の係合用凸部５８と他方のスペーサ１６の係合用凹部５９とが係合するようになっている。係合用凸部５６，５８と係合用凹部５７，５９との係合により、スペーサ１６同士が互いに位置決めされる。
【００４７】
図５に示すように、各蓄電素子１４は、該蓄電素子１４を挟み込む一対のスペーサ１６によって位置決めされる。蓄電素子１４は、端子２２が突設された端子面７１がスペーサ１６の上面フランジ部４２の下面（第１規制部）に対向配置され、端子面７１とは反対側の底面７２がスペーサ１６の下面フランジ部４４の上面（第２規制部）に対向配置されるように位置決めされる。蓄電素子１４における積層方向（図中Ｄ１方向）の一方の面７３と、該面７３に対向するスペーサ１６のメインプレート部４０との間には、補強リブ５４が介在することにより隙間が形成されており、これにより、隣接する蓄電素子１４間の断熱効果が得られる。
【００４８】
スペーサ１６は、蓄電素子１４の端子面７１に当接する第１ガイド部６１（６１ａ，６１ｂ）と、蓄電素子１４の底面７２に当接する第２ガイド部６２（６２ａ，６２ｂ）とを備える。
【００４９】
図３に示すように、第１ガイド部６１（６１ａ，６１ｂ）は、上面フランジ部４２の下面から突出するリブ６３を備える。図３には、メインプレート部４０を挟んだ一方の側に設けられた第１ガイド部６１ａのみが図示されているが、第１ガイド部６１ａ，６１ｂは、メインプレート部４０を挟んだ両側に設けられている（図５参照）。本実施形態において、一方の第１ガイド部６１ａの構成は、他方の第１ガイド部６１ｂの構成と同じであるが、両者の構成は異なっていてもよい。
【００５０】
リブ６３は、横方向（図中Ｄ２方向）に間隔を空けて複数設けられている。リブ６３は例えば２個設けられるが、リブ６３の個数は、１個又は３個以上であってもよい。
【００５１】
各リブ６３は、メインプレート部４０に直角な面に沿って配置されている。リブ６３は、上面フランジ部４２とメインプレート部４０とに跨がって形成されている。リブ６３は、積層方向（図中Ｄ１方向）においてメインプレート部４０に向かって下側へ傾斜した傾斜面６４を有する。リブ６３は、横方向（図中Ｄ２方向）から見て例えば三角形の形状を有する。リブ６３の下方への張り出し量は、積層方向（図中Ｄ１方向）においてメインプレート部４０に近づくに従って増大している。ただし、リブ６３の形状は特に限定されるものでなく、後述する変形例を含む種々の形状に変更可能である。また、第１ガイド部６１を構成する全てのリブ６３は同じ形状を有してもよいし、リブ６３毎に形状が異なってもよい。
【００５２】
図２及び図４に示すように、第２ガイド部６２（６２ａ，６２ｂ）は、下面フランジ部４４の上面から突出するリブ６６を備える。図２には、メインプレート部４０を挟んだ一方の側に設けられた第２ガイド部６２ａが図示されており、図４には、他方の側に設けられた第２ガイド部６２ｂが図示されている。本実施形態において、一方の第２ガイド部６２ａの構成は、他方の第２ガイド部６２ｂの構成と同じであるが、両者の構成は異なっていてもよい。
【００５３】
リブ６６は、横方向（図中Ｄ２方向）に間隔を空けて複数設けられている。これら複数のリブ６６によって、蓄電素子１４を下側から傾くことなく支持することができる。リブ６６は例えば３個設けられるが、リブ６６の個数は、２個又は４個以上であってもよい。また、リブ６６の形状が蓄電素子１４を安定的に支持可能なものであれば、リブ６６の個数は１個であってもよい。
【００５４】
各リブ６６は、メインプレート部４０に直角な面に沿って配置されている。リブ６６は、下面フランジ部４４とメインプレート部４０とに跨がって形成されている。リブ６６は、積層方向（図中Ｄ１方向）においてメインプレート部４０に向かって上側へ傾斜した傾斜面６７を有する。リブ６６は、横方向（図中Ｄ２方向）から見て例えば三角形の形状を有する。リブ６６の上方への張り出し量は、積層方向（図中Ｄ１方向）においてメインプレート部４０に近づくに従って増大している。ただし、リブ６６の形状は特に限定されるものでなく、種々の変更が可能である。また、第２ガイド部６２を構成する全てのリブ６６は同じ形状を有してもよいし、リブ６６毎に形状が異なってもよい。
【００５５】
図５に示すように、第１ガイド部６１及び第２ガイド部６２のリブ６３，６６は、第２ガイド部６２のリブ６６の変形量に比べて第１ガイド部６１のリブ６３の変形量が大きくなるように蓄電素子１４に当接する。第２ガイド部６２のリブ６６は変形しなくてもよいし、僅かに変形してもよい。第１ガイド部６１の変形量が第２ガイド部６２の変形量よりも大きくなることで、蓄電素子１４は上面フランジ部４２側に寄せられた状態で位置決めされる。
【００５６】
このような位置決め状態を実現するために、第１ガイド部６１のリブ６３は、第２ガイド部６２のリブ６６よりも変形しやすいように設けられている。具体的に、リブ６６に比べてリブ６３が弾性変形しやすくなるように、リブ６３の剛性に比べて、リブ６６の剛性が高くなっている。リブ６３は、弾性変形を経て塑性変形してもよい。リブ６３が塑性変形する場合、リブ６３の強度に比べて、リブ６６の強度が高いことが好ましい。
【００５７】
本実施形態では、リブ６６の剛性がリブ６３の剛性及よりも高くなるように、横方向（図２〜図４におけるＤ２方向）のリブ６３の厚みに比べてリブ６６の厚みが大きくなっている。ただし、リブ６３，６６の変形しやすさを異ならせるための構成は特に限定されるものでない。例えば、リブ６３，６６の形状、材料又は個数の少なくともいずれか１つを異ならせることで、リブ６３，６６の変形しやすさ（剛性又は強度の少なくとも一方）を異ならせてもよい。
【００５８】
蓄電素子１４の底面７２は、積層方向（図中Ｄ１方向）両側のコーナー部において第２ガイド部６２のリブ６６の傾斜面６７に当接する。傾斜面６７は、上下方向（図中Ｄ３方向）の上面フランジ部４２側への張り出し量がメインプレート部４０に近づくに従って増大するように傾斜しているため、第１ガイド部６１と第２ガイド部６２との間に差し込まれた蓄電素子１４は、第２ガイド部６２の傾斜面６７によって上下方向（図中Ｄ３方向）の上面フランジ部４２側へスムーズに案内される。第２ガイド部６２により上方へ案内された蓄電素子１４は、第１ガイド部６１のリブ６３を押しつぶす。これにより、蓄電素子１４は、端子面７１とスペーサ１６の上面フランジ部４２との間の隙間に比べて、底面７２とスペーサ１６の下面フランジ部４４との間の隙間が大きくなるように位置決めされる。
【００５９】
第１ガイド部６１及び第２ガイド部６２はリブ６３，６６で構成されているため、横方向（図２〜図４におけるＤ２方向）においてリブ６３，６６が配置されていない部分では、上面フランジ部４２及び下面フランジ部４４と蓄電素子１４との間に空隙が形成される。特に、下面フランジ部４４と蓄電素子１４の底面７２との間には比較的大きな空隙が形成される。これらの空隙に気流が形成されることで、蓄電素子１４を効果的に冷却することができる。
【００６０】
図６に模式的に示すように、蓄電装置１の組立ては、蓄電素子１４の端子２２が下方を向いた姿勢で行われる。組立ての際、蓄電素子１４は、組立てのための作業スペースに設けられた所定の基準面１００に端子２２の表面が当接するように配置され、スペーサ１６は、基準面１００に上面フランジ部４２が対向する姿勢で配置される。このように配置された蓄電素子１４とスペーサ１６は、端子２２が基準面１００に当接した状態を維持しながら、交互に重ねられる。これにより、複数の蓄電素子１４がスペーサ１６を介して積層される。なお、積層方向（図中Ｄ１方向）の最も外側に配置される蓄電素子１４には、エンドプレート１８ａ，１８ｂが外側から重ねられる。
【００６１】
上述したように、隣接するスペーサ１６同士は、係合用凸部５６，５８と係合用凹部５７，５９との係合により互いに位置決めされる（図２〜図４参照）。隣接するスペーサ１６同士は、同じ向きで配置された状態で互いに係合される。したがって、全てのスペーサ１６は同じ向きで重ね合わされる。そのため、組立状態において、全てのスペーサ１６の上面フランジ部４２は同一面に配置され、全てのスペーサ１６の下面フランジ部４４は同一面に配置される。
【００６２】
各蓄電素子１４は、一対のスペーサ１６によって積層方向（図中Ｄ１方向）の両側から挟み込まれることで位置決めされる。第１ガイド部６１及び第２ガイド部６２のリブ６３，６６が変形していない状態では、上下方向（図中Ｄ３方向）において、リブ６３，６６間の間隔は蓄電素子１４の高さよりも小さい。そのため、先に組み付けられたスペーサ１６と、次に組み付けられるスペーサ１６とによって蓄電素子１４を挟み込むとき、蓄電素子１４は、先に組み付けられたスペーサ１６の両リブ６３，６６に当接した状態で該スペーサ１６のメインプレート部４０に向かって押し込まれる。これにより、少なくとも第１ガイド部６１のリブ６３が弾性変形することで両リブ６３，６６間の間隔が拡げられ、これにより、両リブ６３，６６間に蓄電素子１４が差し込まれる（図５参照）。
【００６３】
このとき、第２ガイド部６２のリブ６６は、変形しなくてもよいし、第１ガイド部６１のリブ６３よりも小さな変形量で変形してもよい。また、リブ６３，６６の変形は弾性変形のみであってもよいし、弾性変形を経て塑性変形してもよい。
【００６４】
本実施形態によれば、スペーサ１６の第１ガイド部６１と第２ガイド部６２との間に蓄電素子１４を隙間無く差し込むことができる。そのため、上下方向（図中Ｄ３方向）における蓄電素子１４のがたつきを防止できる。また、図６に示すように、基準面１００によって複数の蓄電素子１４の端子２２の位置を揃えた状態で組付けが行われるため、製品公差によって上下方向（図中Ｄ３方向）における端子面７１と端子２２の表面との間隔Ｈ１（図５参照）にばらつきがある場合でも、第１ガイド部６１の変形量が適宜調整されることで、全てのスペーサ１６において、上面フランジ部４２からの端子２２の突出量Ｈ２（図５参照）は均一になる。このように、上下方向（図中Ｄ３方向）における端子２２の位置が一定になるように、蓄電素子１４が精度よく位置決めされる。そのため、バスバー（図示せず）によって端子２２間を接続するとき、バスバーの傾きを防止することができ、これにより、バスバーと端子２２との溶接を良好に行うことができる。
【００６５】
図７〜図１０を参照しながら、第１ガイド部６１（６１ａ，６１ｂ）の変形例について説明する。
【００６６】
図７に示す第１変形例において、第１ガイド部６１のリブ８０は、上述のリブ６３（図３参照）と同様の形状を有する。リブ８０は、変形しやすさが異なる第１リブ部８１と第２リブ部８２とを備える。第１リブ部８１は、第２リブ部８２よりも変形しやすいように設けられている。第２リブ部８２よりも第１リブ部８１を変形しやすくするための構成は限定されるものでないが、例えば、第２リブ部８２の厚みよりも第１リブ部８１の厚みを小さくすることで、第１リブ部８１の剛性が第２リブ部８２の剛性よりも低くなり、第１リブ部８１が第２リブ部８２よりも弾性変形しやすくなる。また、例えば、第１リブ部８１の強度が第２リブ部８２の強度よりも低くなるように第１リブ部８１と第２リブ部８２の材料を異ならせることで、第１リブ部８１が第２リブ部８２よりも塑性変形しやすくなる。
【００６７】
第２リブ部８２は、上面フランジ部４２の下面に沿って配置されたリブ８０の上側部分であり、第１リブ部８１は、第２リブ部８２を挟んで上面フランジ部４２とは反対側に配置されたリブ８０の下側部分である。蓄電素子１４がスペーサ１６に対して位置決めされるとき、蓄電素子１４は第１リブ部８１に当接する。第１リブ部８１は第２リブ部８２よりも変形しやすいため、蓄電素子１４に当接する第１リブ部８１のスムーズな変形を実現できる。
【００６８】
図８に示す第２変形例において、第１ガイド部６１のリブ８３は、第１変形例に係るリブ８０と同じ形状を有し、該リブ８０と同様、変形しやすさが異なる第１リブ部８１と第２リブ部８２を備える。第２変形例において、第１リブ部８１はメインプレート部４０に沿って配置され、第２リブ部８２は、第１リブ部８１を挟んでメインプレート部４０とは反対側に配置されている。第２変形例においても、第１変形例と同様、蓄電素子１４がスペーサ１６に対して位置決めされるとき、蓄電素子１４は第１リブ部８１に当接する。第１リブ部８１は第２リブ部８２よりも変形しやすいため、蓄電素子１４に当接する第１リブ部８１のスムーズな変形を実現できる。
【００６９】
図９に示す第３変形例に係る第１ガイド部６１のリブ８４において、蓄電素子１４との当接面８５は、下方へ膨らむように湾曲した面となっている。このような形状を有するリブ８４も、上述したリブ６３（図３参照）と同様、蓄電素子１４によって上面フランジ部４２に向かって押し込まれることで、適量の変形が可能である。
【００７０】
なお、第３変形例に係るリブ８４にも、図７に示す第１変形例又は図８に示す第２変形例と同様、変形しやすさが異なる第１リブ部８１と第２リブ部８２を設けてもよい。
【００７１】
図１０に示す第４変形例に係る第１ガイド部６１のリブ８６は、第３変形例のリブ８４と同様、下方へ膨らむように湾曲した当接面８５を有する。第４変形例のリブ８６とメインプレート部４０との間には隙間８８が設けられている。これにより、リブ８６は、メインプレート部４０に拘束されることなく、上下方向（図中Ｄ３方向）に変形しやすくなっている。
【００７２】
なお、第４変形例に係るリブ８６にも、図７に示す第１変形例又は図８に示す第２変形例と同様、変形しやすさが異なる第１リブ部８１と第２リブ部８２を設けてもよい。
【００７３】
第１ガイド部６１のリブは、図３に示されるリブ６３及び図７〜図１０に示される変形例のリブ８０，８３，８４，８６の構成に限定されるものでなく、その他の種々の構成に変更可能である。
【００７４】
また、第２ガイド部６２のリブも、上述したリブ６６（図２及び図４参照）の構成に限定されるものでなく、図７〜図１０に示される第１ガイド部６１のリブと同様の構成、又は、その他の種々の構成に変更可能である。
【００７５】
さらに、第１ガイド部６１及び第２ガイド部６２は、上面フランジ部４２の下面又は下面フランジ部４４の上面から突出するものであれば、必ずしもリブで構成しなくてもよい。
【００７６】
図１１を参照しながら、第２ガイド部６２（６２ａ，６２ｂ）の変形例について説明する。
【００７７】
図１１に示す変形例に係る第２ガイド部６２は、横方向（図中Ｄ２方向）に延びる長尺部９０を備える。長尺部９０は、下面フランジ部４４の上面とメインプレート部４０とに跨がって設けられている。長尺部９０は、例えば、積層方向（図中Ｄ１方向）においてメインプレート部４０に向かって上方に傾斜した傾斜面９１を有する断面三角形の中実部である。長尺部９０は、例えば上面フランジ部４２の全長に亘って設けられている。これにより、スペーサ１６を成形するための金型の形状が簡素化され、製造コストを低減できる。
【００７８】
ただし、長尺部９０は、上面フランジ部４２の長さ方向の一部に設けてもよい。また、長尺部９０は、長さ方向に複数に分割して設けてもよい。さらに、長尺部９０は、メインプレート部４０との間に隙間を形成するように設けてもよく、この場合、長尺部９０は、メインプレート部４０に拘束されることなく変形できる。
【００７９】
第２ガイド部６２を長尺部９０で構成することにより、リブで構成する場合に比べて、蓄電素子１４との接触面積を増大させることができる。したがって、第２ガイド部６２によって蓄電素子１４を下側から安定的に支持することができる。
【００８０】
図１１に示す長尺部９０は、スペーサ１６に一体に設けられているが、別体の長尺部をスペーサに取り付けるようにしてもよい。これにより、既存のスペーサに、第２ガイド部６２を容易に形成することができる。
【００８１】
なお、第１ガイド部６１も、第２ガイド部６２と同様、リブに代えて長尺部で構成してもよい。
【００８２】
［第２実施形態］
図１２及び図１３を参照しながら、本発明の第２実施形態に係る蓄電装置について説明する。第２実施形態において、第１実施形態と共通する構成については詳細な説明を省略する。また、図１２及び図１３において、第１実施形態と同様の機能を有する構成要素には同じ符号を付している。
【００８３】
図１２及び図１３に示すように、第２実施形態に係る蓄電装置では、積層体１２の下方、すなわち、スペーサ２１６の下面フランジ部４４を挟んで蓄電素子１４とは反対側に、蓄電素子１４を冷却するためのヒートシンク２０２が配置されている。蓄電素子１４とヒートシンク２０２とは熱伝導部材（図示せず）を介して熱結合している。具体的には、例えば、スペーサ１６の下面フランジ部４４に穴又は切欠（図示せず）が設けられ、該穴又は切欠を通って下面フランジ部４４を貫通する熱伝導部材を介して、蓄電素子１４とヒートシンク２０２とが熱結合される。熱伝導部材としては、熱伝導性が高い絶縁材料を用いることが好ましい。
【００８４】
図１２に示すように、スペーサ２１６は、第１実施形態と同様の第１ガイド部６１（６１ａ，６１ｂ）と第２ガイド部６２（６２ａ，６２ｂ）を備える。ただし、第１実施形態と異なり、第１ガイド部６１（６１ａ，６１ｂ）は下面フランジ部４４の上面に設けられ、第２ガイド部６２（６２ａ，６２ｂ）は上面フランジ部４２の下面に設けられている。第１ガイド部６１のリブ６３は第２ガイド部６２のリブ６６よりも変形しやすいように設けられているため、蓄電素子１４は、上下方向（図中Ｄ３方向）において下面フランジ部４４側に寄せて位置決めされる。
【００８５】
第２実施形態によれば、蓄電素子１４は、下面フランジ部４４側に寄せて位置決めされることによって、ヒートシンク２０２との距離が大きくなることが抑制されるため、上記熱伝導部材の上下方向寸法を短縮したり、スペーサ１６及びヒートシンク２０２の構造によっては蓄電素子１４とヒートシンク２０２を直接当接させたりすることが可能になる。そのため、ヒートシンク２０２によって蓄電素子１４を効果的に冷却することができる。また、第１実施形態に比べて、上面フランジ部４２からの端子２２の突出量Ｈ３を抑制できるため、蓄電装置全体の体積を低減できる。
【００８６】
なお、第２実施形態において、蓄電素子１４の下側に、ヒートシンク２０２以外の温度調整部材が配置されてもよく、この場合も、温度調整部材による蓄電素子１４の冷却又は加熱を効果的に行うことができる。
【００８７】
［第３実施形態］
図１４を参照しながら、本発明の第３実施形態に係る蓄電装置について説明する。第３実施形態において、第１実施形態と共通する構成については詳細な説明を省略する。また、図１４において、第１実施形態と同様の機能を有する構成要素には同じ符号を付している。
【００８８】
図１４に示すように、第３実施形態に係る蓄電装置のスペーサ３１６は、上下方向（図中Ｄ３方向）に対称の形状を有する。具体的に、スペーサ３１６は、第１実施形態と同様のメインプレート部４０と、メインプレート部４０の側縁部に設けられた上下対称の形状を有する一対の側面フランジ部３４６，３４８と、メインプレート部４０の上縁部に設けられた第１実施形態と同様の上面フランジ部４２と、メインプレート部４０の下縁部に設けられた上面フランジ部４２と同じ形状の下面フランジ部３４４とを備える。
【００８９】
下面フランジ部３４４には、上面フランジ部４２と同様、幅広部３４５と切欠部３４６が設けられている。幅広部３４５の上面には、第１実施形態と同様の第２ガイド部６２（６２ａ，６２ｂ）が設けられている。図１４には現れていないが、上面フランジ部４２の幅広部４２ａの下面には、第１実施形態と同様の第１ガイド部６１（６１ａ，６１ｂ）が設けられている。第１実施形態と同様、第１ガイド部６１は第２ガイド部６２よりも変形しやすいため、スペーサ３１６によって蓄電素子１４を上面フランジ部４２側に寄せた状態で位置決めできる。
【００９０】
スペーサ３１６は上下対称の形状を有するため、図１４に示す姿勢から上下に反転させた姿勢でスペーサ３１６を使用することもできる。この場合、第１ガイド部６１が蓄電素子１４の下側に配置され、第２ガイド部６２が蓄電素子１４の上側に配置されるため、蓄電素子１４は下側に寄せられた状態で位置決めされる。そのため、第２実施形態のヒートシンク２０２（図１２及び図１３参照）のような温度調整部材が蓄電素子１４の下方に配置される場合、該温度調整部材の比較的近くに配置される蓄電素子１４を効果的に冷却又は加熱することができる。
【００９１】
第３実施形態に係るスペーサ３１６は、その組付け姿勢を適宜変更することで、第１実施形態のように蓄電素子１４を上側に寄せる場合、及び、第２実施形態のように蓄電素子１４を下側に寄せる場合のいずれにも対応して使用することができる。
【００９２】
［第４実施形態］
図１５を参照しながら、本発明の第４実施形態に係る蓄電装置について説明する。第４実施形態において、第１実施形態と共通する構成については詳細な説明を省略する。また、図１５において、第１実施形態と同様の機能を有する構成要素には同じ符号を付している。
【００９３】
図１５に示すように、第４実施形態に係る蓄電装置のスペーサ４１６は、第１実施形態と同様、第１ガイド部６１と第２ガイド部６２を備える。しかしながら、第１実施形態と異なり、第１ガイド部６１のリブ６３と第２ガイド部６２のリブ６６は、変形しやすさが互いに等しくなるように設けられている。そのため、スペーサ４１６によって蓄電素子１４が位置決めされるとき、両リブ６３，６６は、略同じ変形量で変形した状態で蓄電素子１４に当接する。これにより、蓄電素子１４は、上下方向（図中Ｄ３方向）において上面フランジ部４２と下面フランジ部４４との間の略中央に位置決めされる。
【００９４】
蓄電素子１４の温度は、上下方向（図中Ｄ３方向）の中央部で特に高くなりやすいため、一対のスペーサに挟み込まれた蓄電素子１４を効果的に冷却するためには、上下両側から冷却を行うことが好ましい。第４実施形態に係るスペーサ４１６によれば、上面フランジ部４２と蓄電素子１４の端子面７１との間、及び、下面フランジ部４４と蓄電素子１４の底面７２との間に、略同じ高さの空間Ｓ１，Ｓ２を形成することができるため、これら両側の空間Ｓ１，Ｓ２を通る気流によって、蓄電素子１４を効果的に冷却することができる。
【００９５】
また、蓄電素子１４とスペーサ１６との間の空隙に冷媒を流す場合、上下方向（図中Ｄ３方向）に関して、冷媒の流路の中央は、スペーサ１６の上面フランジ部４２と下面フランジ部４４との中間位置に概ね一致し、この高さ位置において冷媒が最も流れやすい。第４実施形態によれば、上下方向（図中Ｄ３方向）に関して、最も高温になりやすい蓄電素子１４の中央部は、冷媒が最も流れやすい上面フランジ部４２と下面フランジ部４４との中間位置に位置決めされる。そのため、組電池１０を構成する全ての蓄電素子１４を効果的に冷却することができる。
【００９６】
［第５実施形態］
図１６及び図１７を参照しながら、本発明の第５実施形態に係る蓄電装置について説明する。第５実施形態において、第１実施形態と共通する構成については詳細な説明を省略する。また、図１６及び図１７において、第１実施形態と同様の機能を有する構成要素には同じ符号を付している。
【００９７】
図１６及び図１７に示すように、第５実施形態に係る蓄電装置のスペーサ５１６では、第１実施形態と異なり、一方の上部側面フランジ部４６ａ及び下部側面フランジ部４８ａに第２ガイド部６２が設けられ、他方の上部側面フランジ部４６ｂ及び下部側面フランジ部４８ｂに第１ガイド部６１が設けられている。
【００９８】
図１７に示すように、第１ガイド部６１のリブ６３は、例えば、上部側面フランジ部４６ｂ及び下部側面フランジ部４８ｂに１個ずつ設けられているが、リブ６３の個数は特に限定されるものでない。第２ガイド部６２のリブ６６は、例えば、上部側面フランジ部４６ａ及び下部側面フランジ部４８ａに１個ずつ設けられているが、リブ６６の個数は特に限定されるものでない。
【００９９】
第１実施形態と同様、第１ガイド部６１のリブ６３は、第２ガイド部６２のリブ６６よりも変形しやすいように設けられている。そのため、スペーサ５１６によって蓄電素子１４が位置決めされるとき、第１ガイド部６１のリブ６３の変形量は第２ガイド部６２のリブ６６の変形量よりも大きくなる。したがって、蓄電素子１４は、横方向（図中Ｄ２方向）において、第１ガイド部６１が設けられたフランジ部４６ｂ，４８ｂ側へ寄せて配置される。これにより、一方の上部側面フランジ部４６ａ及び下部側面フランジ部４８ａと蓄電素子１４の側面７４との間に、変形しないか又はリブ６３よりも変形量が小さいリブ６６が介在することによって空間Ｓ３が形成されている。
【０１００】
第５実施形態において、一方の上部側面フランジ部４６ａ及び下部側面フランジ部４８ａを挟んで蓄電素子１４とは反対側に、回路基板５０２が隣接して配置されている。上述したように、蓄電素子１４は回路基板５０２から遠ざかるように横方向（図中Ｄ２方向）にオフセットして配置され、これにより空間Ｓ３が形成されているため、該空間Ｓ３が断熱機能を果たすことによって、蓄電素子１４と回路基板５０２との間での熱伝導を抑制することができる。また、空間Ｓ３を介して回路基板５０２と蓄電素子１４とが隔てて配置されることによって、両者の間での液絡の発生が抑制される。
【０１０１】
なお、第５実施形態において、上部側面フランジ部４６ｂ及び下部側面フランジ部４８ｂに加えて、上面フランジ部４２又は下面フランジ部４４の一方にも第１ガイド部６１を設けて、上部側面フランジ部４６ａ及び下部側面フランジ部４８ａに加えて、上面フランジ部４２又は下面フランジ部４４の他方にも第２ガイド部６２を設けるようにしてもよい。これにより、横方向（図中Ｄ２方向）だけでなく、上下方向（図中Ｄ３方向）にも蓄電素子１４を位置決めできる。
【０１０２】
また、第５実施形態において、蓄電素子１４の側方に、例えば各種センサのような回路基板５０２以外の電気機器が配置されてもよく、この場合も、蓄電素子１４と電気機器との間での熱伝導及び液絡の発生を抑制できる。
【０１０３】
以上の実施形態を挙げて本発明を説明したが、本発明は以上の実施形態に限定されるものではない。
【０１０４】
例えば、以上の実施形態では、第１ガイド部６１及び第２ガイド部６２をリブ又は長尺部で構成する場合について説明したが、本発明では、リブ及び長尺部以外の突起部で第１ガイド部又は第２ガイド部を構成してもよい。例えば、フランジ部の全面または大部分から突出する１つの大きな突起部、或いは、フランジ部に点在する複数の突起部によって、第１ガイド部又は第２ガイド部を構成してもよい。
【０１０５】
また、以上の実施形態では、スペーサのフランジ部が積層方向（図中Ｄ１方向）に平行に配置され、スペーサのメインプレート部が積層方向に直角な横方向（図中Ｄ２方向）に平行に配置される場合について説明したが、本発明では、フランジ部が積層方向（図中Ｄ１方向）に対して傾斜して配置されたり、メインプレート部が横方向（図中Ｄ２方向）に対して傾斜して配置されたりしてもよい。
【０１０６】
さらに、以上の実施形態では、メインプレート部を有するスペーサを用いる場合について説明したが、本発明において、スペーサのようなホルダは、必ずしもメインプレート部を備える必要はない。なお、メインプレート部が設けられないホルダは、フランジ部に繋がる何らかの連結部を備える。メインプレート部以外の連結部の具体例としては、一対のフランジ部間を繋ぐ柱状の連結部が挙げられる。
【０１０７】
また、以上の実施形態では、蓄電素子の移動を規制するホルダの第１規制部及び第２規制部がホルダのフランジ部で構成される場合について説明したが、本発明において、第１規制部及び第２規制部は、ホルダにおけるフランジ部以外の部分で構成されてもよい。
【０１０８】
さらに、本発明は、複数の蓄電素子が積層された組電池に限られず、蓄電素子を１つのみ備えた蓄電装置にも適用することができる。
【符号の説明】
【０１０９】
１０            組電池（蓄電装置）
１２            積層体
１４            蓄電素子
１６            スペーサ（ホルダ）
１８ａ，１８ｂ  エンドプレート
２２ａ          蓄電素子の正極端子
２２ｂ          蓄電素子の負極端子
４０            メインプレート部
４２            上面フランジ部
４４            下面フランジ部
４６ａ，４６ｂ  上部側面フランジ部
４８ａ，４８ｂ  下部側面フランジ部
５０            拘束バンド
６１ａ，６１    第１ガイド部
６２ａ，６２ｂ  第２ガイド部
６３，８０，８３，８４，８６  第１ガイド部のリブ
６６            第２ガイド部のリブ
７０            金属板
９０            長尺部
２０２          ヒートシンク
５０２          回路基板
【図１】
2015201288.tif 000003
【図２】
2015201288.tif 000004
【図３】
2015201288.tif 000005
【図４】
2015201288.tif 000006
【図５】
2015201288.tif 000007
【図６】
2015201288.tif 000008
【図７】
2015201288.tif 000009
【図８】
2015201288.tif 000010
【図９】
2015201288.tif 000011
【図１０】
2015201288.tif 000012
【図１１】
2015201288.tif 000013
【図１２】
2015201288.tif 000014
【図１３】
2015201288.tif 000015
【図１４】
2015201288.tif 000016
【図１５】
2015201288.tif 000017
【図１６】
2015201288.tif 000018
【図１７】
2015201288.tif 000019